(57)【要約】【課題】クレイドル機能を提供するためのカバーやケースを追加で装着する必要がないので、小型化、スリム化に適合し、更に、外観デザインの向上が図れる携帯用端末機を提供する。【解決手段】本発明は、前面にディスプレイ装置が設置された本体と、本体の背面に回動可能に設置される支持板と、本体の背面に形成されて支持板を収容する収容溝と、を具備し、支持板は、収容溝に収容された状態から回動して本体の背面から突出する携帯用端末機を提供する。上記のような構成の携帯用端末機は、支持板が本体を平坦面に対して傾斜するようにクレイドルできるので、クレイドル機能を提供するための別途のカバーやケースを携帯する必要がない。【選択図】図３
2013143772.tif 000002
【特許請求の範囲】
【請求項１】
携帯用端末機であって、
前面にディスプレイ装置が設置された本体と、
前記本体の背面に回動可能に設置される支持板と、
前記本体の背面に形成されて前記支持板を収容する収容溝と、を具備し、
前記支持板は、前記収容溝に収容された状態で回動して前記本体の背面から突出することを特徴とする携帯用端末機。
【請求項２】
前記支持板に形成される開口部を更に備え、
前記支持板が前記収容溝に収容された状態で、前記開口部を介して前記収容溝の一部分が露出されることを特徴とする請求項１に記載の携帯用端末機。
【請求項３】
前記収容溝上に配置されるカメラモジュールを更に備え、
前記支持板が前記収容溝に収容された状態で、前記カメラモジュールが前記開口部を介して露出されることを特徴とする請求項２に記載の携帯用端末機。
【請求項４】
前記支持板の端部に形成される操作溝を更に備え、
前記支持板が前記収容溝に収容された状態で、前記支持板の端部が前記収容溝の内側壁に係合し、前記操作溝は前記収容溝の内側壁と離間した状態で向かい合うように位置することを特徴とする請求項１に記載の携帯用端末機。
【請求項５】
前記収容溝に形成されて格納媒体を装着する空間を提供する少なくとも一つのスロットを更に備え、
前記支持板が前記収容溝に収容されたとき、前記スロットが閉鎖されることを特徴とする請求項１に記載の携帯用端末機。
【請求項６】
前記支持板の回動軸は前記収容溝の一側端に隣接するように配置され、前記スロットは前記収容溝の他側端に隣接するように配置されることを特徴とする請求項５に記載の携帯用端末機。
【請求項７】
前記支持板は、前記収容溝に収容された位置から回動して９０度の傾斜角又は１８０度の傾斜角で停止した状態で維持されることを特徴とする請求項１に記載の携帯用端末機。
【請求項８】
前記本体の内部に固定される板バネと、
前記支持板の少なくとも一側端に形成され、且つ、前記支持板の回動軸上に形成されるカム部材と、を更に備え、
前記支持板が回動することによって、前記カム部材はその外周面が前記板バネに支持された状態で前記回動軸を中心に回転することを特徴とする請求項７に記載の携帯用端末機。
【請求項９】
前記カム部材の外周面に形成される少なくとも一対の平坦面を更に備え、
前記板バネが前記平坦面中の一つと対面するように密着され、前記支持板を９０度の傾斜角又は１８０度の傾斜角で停止した状態で維持することを特徴とする請求項８に記載の携帯用端末機。
【請求項１０】
前記カム部材は、外周面に複数の係止溝が形成された円柱形状であり、前記板バネに設けた凸部が前記係止溝のうちの一つと係合し、前記支持板を９０度の傾斜角又は１８０度の傾斜角で停止した状態で維持することを特徴とする請求項８に記載の携帯用端末機。
【請求項１１】
前記収容溝に配置される印刷パターンを更に備え、
前記印刷パターンは、前記支持板が前記収容溝に収容された状態で、前記支持板により被覆されることを特徴とする請求項１に記載の携帯用端末機。
【請求項１２】
前記本体の背面に脱着可能に設けられる少なくとも一つの付加装置を更に備え、
前記支持板は、前記本体の背面から突出された状態ではクレイドルとして活用されることを特徴とする請求項１乃至１１のいずれか一項に記載の携帯用端末機。
【請求項１３】
前記支持板に形成される開口部を更に備え、
複数の前記付加装置が前記本体の背面に提供され、前記支持板が前記本体の背面に折り畳まれた状態で、前記付加装置のうち一つは前記開口部を介して露出されることを特徴とする請求項１２に記載の携帯用端末機。
【請求項１４】
前記開口部を介して露出される付加装置は、カメラモジュールであることを特徴とする請求項１３に記載の携帯用端末機。
【請求項１５】
前記本体の背面に形成される少なくとも一つのスロットを更に備え、
前記付加装置は、前記スロットに装着可能に設けられる格納媒体又はバッテリーパックであり、前記支持板が前記スロット及び付加装置を開閉することを特徴とする請求項１２に記載の携帯用端末機。
【発明の詳細な説明】
【技術分野】
【０００１】
本発明は、携帯用端末機に係り、特に、セルフクレイドル（ｓｅｌｆ−ｃｒａｄｌｉｎｇ）が可能な携帯用端末機に関する。
【背景技術】
【０００２】
通常、携帯用端末機とは、ユーザが携帯しながら移動通信基地局を介して他のユーザとの通信又はサービスプロバイダが提供するサービスにアクセスする機能を提供する機器を意味し、移動通信技術及び情報通信産業の発達とともに携帯用端末機を介したサービス類型が急速に増加している。例えば、初期の移動通信サービスは、相手方の呼び出し、音声通話、短文メッセージ転送などに限定されていたが、音楽（配信）、静止画・動画映像再生などのマルチメディアサービス、ゲームなどのエンタテインメントサービス、モバイルバンキング（ｍｏｂｉｌｅ  ｂａｎｋｉｎｇ）などの金融サービス、文書編集、日程管理などに、そのサービス領域が順次拡大され、ユーザも青少年階層から老年層に至るまで徐々に普及している。
【０００３】
最近では、携帯用端末機を通したマルチメディアサービスが強化され、スマートフォン（ｓｍａｒｔ  ｐｈｏｎｅｓ）、タブレットＰＣ（ｔａｂｌｅｔ  ＰＣｓ）等の、従来のＰＣ（パソコン）に匹敵する性能を有する携帯用端末機が商用化された。従って、個々人が移動中にスマートフォンやタブレットＰＣを利用してインターネットへのアクセス、静止画・動画映像鑑賞、更には事務業務処理をなし得る環境が存在している。
典型的な携帯用端末機は、物理的なスイッチ群からなるキーボードの代わりに、仮想キーボードをデータ入力機能として具現するタッチスクリーンを利用するディスプレイ装置を備えており、その結果、全体サイズの小型化の進行にも拘わらずディスプレイ装置の拡大が可能になった。これを通じて携帯用端末機の使用性（ｕｓａｂｉｌｉｔｙ）と携帯性（ｐｏｒｔａｂｉｌｉｔｙ）が共に増強された。それは、タッチスクリーンがその画面上にキーボードを具現することによって、ユーザが必要な時にだけキーボード機能を活性化して使用できるからである。
【０００４】
一方、移動通信端末機や携帯用ゲーム機とは異なり、タブレットＰＣは別途のカバー（ｃｏｖｅｒ）やケース（ｃａｓｅ）のようなアクセサリー（ａｃｃｅｓｓｏｒｙ）を利用してクレイドル機能を提供する場合がある。言い換えれば、移動通信端末機や携帯用ゲーム機などに比べて、タブレットＰＣがより大きく且つ重いので、ユーザが長時間、保持、使用するのは困難である。従って通常、ユーザは別途のカバーやケースを購買してタブレットＰＣを保護すると共に、クレイドルとして活用する。
【０００５】
しかしながら、カバーやケースを携帯することは、ユーザにとり面倒なだけでなく紛失の危険があり、また、端末機に装着した状態で携帯することも不便である。更に、別途のカバーやケースを装着することは、携帯用端末機の小型化、スリム化の趨勢に反する障害となる。
【先行技術文献】
【特許文献】
【０００６】
【特許文献１】特開２０００−１３２２７８号公報
【特許文献２】特許公報３０２６９１４号
【発明の概要】
【発明が解決しようとする課題】
【０００７】
従って、上述した従来技術の問題点を解決するためになされた本発明の目的は、支持板を備えているので、セルフクレイドルが可能で且つ携帯が容易な携帯用端末機を提供することにある。
【０００８】
本発明の他の目的は、クレイドル機能を提供する支持板が本体に回動可能に結合されているので、紛失の恐れがない携帯用端末機を提供することにある。
本発明の更に他の目的は、クレイドル機能を提供するためのカバーやケースを追加で装着する必要がないので、小型化、スリム化に適合した携帯用端末機を提供することにある。
本発明の更に他の目的は、外観デザインの向上に寄与できる支持板を備える携帯用端末機を提供することにある。
【課題を解決するための手段】
【０００９】
上記のような目的を達成するために、本発明の実施形態の一態様による携帯用端末機は、  前面にディスプレイ装置が設置された本体と、上記本体の背面に回動可能に設置される支持板と、上記本体の背面に形成されて上記支持板を収容する収容溝と、を具備し、上記支持板は、上記収容溝に収容された状態から回動して上記本体の背面から突出することを特徴とする。
【００１０】
好ましくは、上記携帯用端末機は、前面にディスプレイ装置が設置された本体と、上記本体の背面に脱着可能に設けられる少なくとも一つの付加装置と、上記本体の背面に回動可能に設置されて上記本体の背面から突出する支持板と、を具備し、上記本体の背面で回動することによって上記支持板は前記付加装置を開閉すると共に、上記本体の背面から突出された状態ではクレイドルとして活用されることを特徴とする。
【発明の効果】
【００１１】
本発明による携帯用端末機は、その本体を水平面に対して傾斜するようにクレイドルできる支持板を備えているので、クレイドル機能を提供するための別途のカバーやケースを携帯する必要がなく、携帯が容易になる。また、支持板は端末機の本体に回動可能に結合されているので、紛失の恐れがなく、小型化、スリム化された端末機の外観の維持を邪魔しない。
更に、タブレットＰＣなどの付加装置としてのバッテリーパック、又は、携帯用端末機のメモリーカード及び加入者識別モジュール（ｓｕｂｓｃｒｉｂｅｒ  ｉｄｅｎｔｉｔｙ  ｍｏｄｕｌｅ、ＳＩＭ）等の格納媒体は通常、少なくとも一部が外部に露出するが、これらを装着するためのスロットを支持板により隠蔽できるので、端末機の外観デザインを向上できる。
【図面の簡単な説明】
【００１２】
【図１】本発明の望ましい実施形態による携帯用端末機を示す斜視図である。
【図２】図１に示した携帯用端末機の一部分を拡大する図である。
【図３】図１に示した携帯用端末機の背面を示す斜視図である。
【図４】図１に示した携帯用端末機の支持板が１８０度角度地点まで回動した姿を示す斜視図である。
【図５】図１に示した携帯用端末機の支持板が本体の収容溝に収容された姿を示す図面である。
【発明を実施するための形態】
【００１３】
添付の図面を参照する下記の説明は、特許請求の範囲の記載及びこれと均等なものの範囲内で定められるべき本発明の実施形態の包括的な理解を助けるために提供され、この理解を助けるための様々な特定の詳細を含むが、あくまでも、ただ１つの実施形態にすぎない。従って、本発明の範囲及び趣旨を逸脱することなく、ここに説明された実施形態の様々な変更及び修正が可能であることは、当該技術分野における通常の知識を有する者には明らかであろう。また、明瞭性と簡潔性の観点から、当業者に良く知られている機能や構成に関する具体的な説明は、省略する。
【００１４】
図１乃至図５に示すように、本発明の望ましい実施形態による携帯用端末機１００は、前面（ｆｒｏｎｔ  ｆａｃｅ）にディスプレイ装置１１１が設置された本体（ｂｏｄｙ）１０１と、本体１０１の背面（ｒｅａｒ  ｆａｃｅ）に回動可能に結合された支持板（ｓｕｐｐｏｒｔ  ｐｌａｔｅ）１０２を含み、本体１０１の背面の上端（ユーザーから見て奥側の端部））で長手方向の軸に沿って回動することによって支持板１０２は本体１０１の背面から出入りする。即ち、支持板１０２は、本体１０１の背面に隣接し且つ平行に折り畳まれるか、本体１０１の背面に対してある角度で傾斜して本体１０１の背面から突出する。
【００１５】
ディスプレイ装置１１１は通常、タッチスクリーン機能を具備しているので、端末機１００には、キーボードのような別途の入力装置が設置されていない。ただし、ユーザは、ドッキングステーション方式（ｄｏｃｋｉｎｇ  ｓｔａｔｉｏｎ  ｍｅｔｈｏｄ）又はブルートゥース（登録商標）のような近距離無線通信方式などを通じて別途のキーボードと結合して端末機１００を使用できる。
【００１６】
更に図１乃至図５を参照すると、本体１０１の前面の両側端（ｓｉｄｅ＿ｅｄｇｅｓ）には、各々音声を出力するスピーカーホール１１３ａが形成されており、本体１０１の一側面には個人用コンピュータなどの外部機器との接続のためか、又は充電のためのインターフェース端子１１３ｂが設けられる。併せて、本体１０１の背面の上端には、支持板１０２を収容するための収容溝（ｒｅｃｅｉｖｉｎｇ  ｒｅｃｅｓｓ）１１５、カメラモジュール１１７、格納媒体を装着するための空間を提供するスロット１１９ａが設けられる。また、収容溝１１５には、端末機１００の製造社や端末機１００が供給される通信社のロゴなどの印刷パターン１１９ｂが配置されることができる。印刷パターン１１９ｂはステッカーなどを付着するか、又は本体１０１のケースに刻印して形成する。スピーカーホール１１３ａ、インターフェース端子１１３ｂ、スロット１１９ａ、及びカメラモジュール１１７が搭載される領域などの配置が図１乃至図５の実施形態に限られず、端末機１００の設計要件や外形デザインによって多様に変更可能なことは、当業者であれば容易に理解できるはずである。
【００１７】
収容溝１１５は、本体１０１の背面で上端又は下端（ユーザーから見て手前側の端部）のうちいずれか一つ（本実施形態では、上端）に隣接するように形成され、図で本体１０１の長手方向に延長される。併せて、収容溝１１５は、本体１０１の背面で所定の深さ（ｄｅｐｔｈ）に陥没して支持板１０２を収容する。収容溝１１５の深さは、典型的には支持板１０２の厚さに対応するように設定される。従って、収容溝１１５に収容された状態で、支持板１０２の外側面は本体１０１の背面と同じ高さを有する。
【００１８】
一方、本発明の上記の実施形態は、支持板１０２が本体１０１の背面一部領域だけを開閉しながら収容溝１１５に収容され得る構成を例示しているが、収容溝１１５が必ず形成される必要はない。例えば、支持板１０２は、本体１０１の背面全体を開閉するサイズで形成でき、この場合には収容溝１１５は形成の必要がない。上記のような収容溝１１５が形成されない場合、支持板１０２は、本体１０１の背面全体を閉鎖した状態では、本体１０１の背面全体に隣接するように対面しながら平行するように位置する。
【００１９】
さらに本実施形態は、本体１０１の背面のうち、支持板１０２により開閉される領域に、カメラモジュール１１７、スロット１１９ａだけが配置された構成を例示しているが、バッテリーパックを装着するための追加のスロットを形成できる。また、スロット１１９ａを通して通信やグラフィック機能などを強化するための拡張カード（ｅｘｐａｎｓｉｏｎ  ｃａｒｄ）、大容量コンテンツが内蔵されたゲームパックなど、多様な付加装置を装着できる。
【００２０】
カメラモジュール１１７は、収容溝１１５上に設置されて支持板１０２により開閉され得る。ただし、支持板１０２が収容溝１１５に収容された状態でも撮影を可能にするために、支持板１０２に開口部１２１が形成される。即ち、支持板１０２が収容溝１１５に収容された状態でも、カメラモジュール１１７が開口部１２１に収容されることによって外部に露出され、撮影経路を確保できる。
【００２１】
スロット１１９ａは、メモリーカードや加入者識別モジュールのような格納媒体を結合するための空間として設けられる。端末機１００に設けられた接続ピン（図示せず）と適切な接続状態を維持するために、格納媒体はスロット１１９ａのうち一つの内部に所定の長さだけ挿入される。スロット１１９ａに挿入されない格納媒体の一部分は、収容溝１１５上に露出され、ユーザが必要によって格納媒体を取り出すことができるようにする。ただし、支持板１０２が収容溝１１５に収容された状態では、スロット１１９ａも支持板１０２により隠蔽される。この時、支持板１０２の回動軸（ｒｏｔａｔｉｏｎ  ａｘｉｓ）（Ａ）を収容溝１１５の一側端（本実施形態では、上端（奥側）に配置し、スロット１１９ａは収容溝１１５の他側端（本実施形態では、下端（手前側）に回動軸（Ａ）と離間して配置することが望ましい。このように回動軸（Ａ）とスロット１１９ａを離間した状態で配置することによって、支持板１０２が回動してスロット１１９ａを開放した時、ユーザが格納媒体を装着及び抽出するのに充分な空間を確保できる。
【００２２】
一般的に、着脱式バッテリーパックを具備する端末機の場合、バッテリーパックを装着する空間及びバッテリーカバーにより隠蔽される空間の一方又は双方を活用して格納媒体を装着するスロットを提供する。このような着脱式バッテリーパック構造の端末機では、格納媒体を装着するスロットが外部に露出されないこともある。反面に、バッテリーパックが内部に完全に内蔵され、ユーザがバッテリーパックを交換することが不可能な構造の端末機である場合、通常、格納媒体を結合するためのスロットが外部に露出され、露出されたスロットは更に別途のカバーにより隠蔽される。
【００２３】
本発明による携帯用端末機１００の場合、上記のように支持板１０２が本体１０１に回動可能に結合され、支持板１０２により開閉される領域内にメモリーカードや加入者識別モジュール（ｓｕｂｓｃｒｉｂｅｒ  ｉｄｅｎｔｉｔｙ  ｍｏｄｕｌｅ）を装着するスロット１１９ａが配置されている構造である。
【００２４】
従って、本体１０１にバッテリーパックが内蔵され、ユーザが交換できない構造であるとしても、メモリーカードや加入者識別モジュールを装着するためのスロット１１９ａに別途のカバーを配置する必要がない。即ち、支持板１０２自体がスロット１１９ａを隠蔽するカバーとして使用される。また、上述したように、支持板１０２により開閉される領域にバッテリーパックを挿入、装着できるスロットも提供できる。
【００２５】
上述したように支持板１０２を本体１０１に回動可能に結合しながら、支持板１０２により開閉される本体１０１の背面の一部分に収容溝１１５を形成するとともに、格納媒体を装着するスロット１１９ａを収容溝１１５内に配置することによって、端末機１００の外観を美しくできる。即ち、別途のカバーなどを配置して格納媒体を装着するためのスロットを隠蔽する従来の構造では、カバーと本体間の境界線が外部で表れるために外観デザインが低下する。反面に、本発明による携帯用端末機１００は、クレイドルとして活用可能な支持板１０２を利用して格納媒体を装着するスロット１１９ａを隠蔽することによって、携帯用端末機１００の外観デザインの低下を緩和できる。
【００２６】
一方、図１乃至図３に示したように、支持板１０２は、本体１０１の背面に収容された状態から回動して例えば傾斜角９０度程度で止めるか、又は図４に示したように、例えば傾斜角１８０度で止めた状態で維持できる。
【００２７】
支持板１０２が本体１０１の背面から傾斜角９０度程度に回動された状態で、ユーザは端末機１００を平面１２９ａにクレイドルさせ使用することができる。即ち、図１に示したように、本体１０１の下端と支持板１０２を利用して端末機１００を机などの水平面にクレイドルして使用できる。この時、支持板１０２のサイズに従って差異はあるが、本体１０１は水平面に対して概略１０度の角度で傾斜するように位置できる。この状態は、ユーザはディスプレイ装置１１１を通して動映像などを鑑賞するか、又は、キーボードを活性化して使用するのに便利である。
【００２８】
支持板１０２が本体１０１の背面で傾斜角１８０度程度に回動された状態で、ユーザは端末機１００を壁にかけて使用することができる。この時、開口部１２１は壁掛け用ホールとして活用される。壁掛け形態で使用される場合、端末機１００をデジタル額縁及び／又は時計として活用でき、また、台所や工作室などで両手共塞がっている環境で、端末機１００を壁にかけてユーザが必要とする情報を画面に出力しながら有用に活用できる。更に、テレビ受像機及びコンピュータなどの外部機器を通して端末機１００に格納されるか、又は、端末機１００を通してストリーミングサービスされるマルチメディアファイルを鑑賞する時、外部機器に隣接する壁に端末機１００を掛けた状態でケーブルを介して外部機器と接続できる。
【００２９】
図２に示したように、支持板１０２が所定の傾斜角で停止した状態を維持するために、端末機１００はカム部材１２７ａ、１２７ｂと板バネ（ｌｅａｆ  ｓｐｒｉｎｇｓ）１２５ａ、１２５ｂを含む。上記のような板バネの構成において、充分の形状復原力と彈性係数を有する彈性物質で製作されるべきであることは自明である。また、図示した板バネ１２５ａ、１２５ｂは、単に一例として提示したものであり、カム部材１２７ａ、１２７ｂを加圧できるものであれば、他の形状又は他の形態の彈性部材に代替可能である。
【００３０】
カム部材１２７ａ、１２７ｂは、支持板１０２の少なくとも一側端、望ましくは両側端に各々設けられる。カム部材１２７ａ、１２７ｂは、支持板１０２の回動軸（Ａ）上に配置され、支持板１０２が回動すると、回動軸（Ａ）を中心として回転する。板バネ１２５ａ、１２５ｂは、本体１０１の内部に固定され、カム部材１２７ａ、１２７ｂの外周面を加圧する。従って、支持板１０２が回動すると、カム部材１２７ａ、１２７ｂは板バネ１２５ａ、１２５ｂと摩擦し、支持板１０２が停止した状態ではカム部材１２７ａ、１２７ｂと板バネ１２５ａ、１２５ｂ間の静止摩擦力（ｓｔａｔｉｃ  ｆｒｉｃｔｉｏｎ  ｆｏｒｃｅ）が作用して支持板１０２を停止状態に維持する。
支持板１０２が収容溝１１５に収容された状態でも、カム部材１２７ａ、１２７ｂと板バネ１２５ａ、１２５ｂ間の静止摩擦力により支持板１０２の回動を抑制する。従って、ユーザが支持板１０２を容易に回動できるように、端末機１００は少なくとも一つの操作溝１２３を更に含む。本実施形態では操作溝１２３が支持板１０２の端部に形成された構成を例示しているが、収容溝１１５の側壁に形成されることもできる。ただし、操作溝１２３は、回動軸（Ａ）と十分に離間した位置に形成されなければならないことに注意すべきである。従って、本発明の具体的な実施形態では、回動軸（Ａ）が支持板１０２の一側端（上端、奥側の端部）に位置され、操作溝１２３は支持板１０２の他側端（下端、手前側の端部）に形成されている。
【００３１】
支持板１０２が収容溝１１５に収容されると、支持板１０２の端部は収容溝１１５の内側壁と係合する。この時、操作溝１２３は収容溝１１５の内側壁と離間した状態で向かい合うように位置する。従って、支持板１０２が収容溝１１５に収容された状態でも操作溝１２３と収容溝１１５の内側壁間の空間を活用してユーザは支持板１０２を回動できる。
【００３２】
支持板１０２を所定位置での停止状態に、より安定して維持するために、カム部材１２７ａ、１２７ｂの外周面に少なくとも一つの平坦面１２９ａ又は係止溝（ｌａｔｃｈｉｎｇ  ｇｒｏｏｖｅ）１２９ｂを形成する。
【００３３】
カム部材１２７ａの外周面に平坦面１２９ａを形成する場合、平坦面１２９ａが板バネ１２５ａと密着する位置で支持板１０２の停止状態が安定して維持される。支持板１０２が収容溝１１５に収容された位置から１８０度だけ開放された位置まで、複数の平坦面がカム部材１２７ａの外周面に形成されると、支持板１０２の停止角度を多様に設定できる。ただし、平坦面１２９ａは少なくとも二つの地点、即ち、支持板１０２が収容溝１１５に収容された地点と、支持板１０２が回動して９０度だけ開放された地点で停止状態を維持できるように各々配置されることが望ましい。もちろん、１８０度の傾斜角でも支持板１０２が停止状態を維持できるように平坦面を形成できる。しかしながら、支持板１０２が１８０度の傾斜角で停止した状態では端末機１００が一般に壁掛け形態で活用されるので、平坦面１２９ａが形成されなくても本体１０１の重さにより支持板１０２は１８０度の傾斜角に位置した状態で維持できる。従って、平坦面１２９ａは少なくとも一対で形成することがより望ましい。
【００３４】
円柱形状であるカム部材１２７ｂの外周面に係止溝１２９ｂを形成する場合、本体１０１に設置される板バネ１２５ｂが係止溝１２９ｂのうち一つと係合できるように、板バネ１２５ｂを部分的に折り曲げて凸部１２５ｃを形成する。板バネ１２５ｂの凸部１２５ｃが係止溝１２９ｂのうち一つに係合する地点は、支持板１０２が収容溝１１５に収容されるか、本体１０１から回動して９０度の傾斜角に至った時である。係止溝１２９ｂは、支持板１０２が本体１０１から回動して１８０度の傾斜角で停止した時にも、板バネ１２５ｂに設けた凸部１２５ｃと係合するように配置できるが、カム部材１２７ａの外周面に平坦面１２９ａを形成する上述の構成と同様に、係止溝１２９ｂは支持板１０２が収容溝１１５に収容されている状態と、支持板１０２が９０度の傾斜角に回動された状態で停止を維持できるように各々配置されることが望ましい。
【００３５】
カム部材１２７ａ、１２７ｂと関連して、平坦面１２９ａ及び係止溝１２９ｂは図示したように４個に限定される必要はなく、より多くの数で形成され得ることは当業者であれば、容易に理解できるはずである。平坦面１２９ａや係止溝１２９ｂの数を５個以上形成する場合、本体１０１の背面に対して支持板１０２が停止状態で位置できる傾斜角がより多くなる。
【００３６】
以上、本発明を具体的な実施形態を参照して詳細に説明してきたが、本発明の範囲及び趣旨を逸脱することなく様々な変更が可能であるということは、当業者には明らかであり、本発明の範囲は、上述の実施形態に限定されるべきではなく、特許請求の範囲の記載及びこれと均等なものの範囲内で定められるべきである。
【００３７】
例えば、外部機器との接続のためのインターフェース端子も収容溝１１５上に配置でき、インターフェース端子が収容溝１１５上に配置される場合、カメラモジュール１１７の配置位置又はそれに隣接する位置に設置できる。この場合、開口部１２１が収容溝１１５に配置されたインターフェース端子を露出させることができ、併せて、支持板１０２が追加の開口部１２１を設けることによって、カメラモジュール１１７に隣接するように配置されたインターフェース端子を収容できる。
【００３８】
１００    携帯用端末機
１０１    本体
１０２    支持板
１１１    ディスプレイ装置
１１３ａ  スピーカーホール
１１３ｂ  インターフェース端子
１１５    収容溝
１１７    カメラモジュール
１１９ａ  スロット
１１９ｂ  印刷パターン
１２５ａ、１２５ｂ  板バネ
１２５ｃ  凸部
１２７ａ、１２７ｂ  カム部材
１２９ａ  平坦面
１２９ｂ  係止溝
【図１】
2013143772.tif 000003
【図２】
2013143772.tif 000004
【図３】
2013143772.tif 000005
【図４】
2013143772.tif 000006
【図５】
2013143772.tif 000007